(57)【要約】【課題】移動する原稿の画像を読取るとき、読取光軸方向における原稿の読取位置を実効的に高い照度で照らすことで、読取の高速化を実現することができる照明装置および画像読取装置を提供する。【解決手段】移動する原稿を照明する照明装置であって、前記原稿の移動方向に垂直な第１の方向に長い光束を射出する第１の光学手段と、前記第１の光学手段から出射した光束を前記第１の方向に垂直な断面内において前記原稿に集光する第２の光学手段と、を有する。【選択図】図１
2016220125.tif 000002
【特許請求の範囲】
【請求項１】
移動する原稿を照明する照明装置であって、
前記原稿の移動方向に垂直な第１の方向に長い光束を射出する第１の光学手段と、
前記第１の光学手段から出射した光束を前記第１の方向に垂直な断面内において前記原稿に集光する第２の光学手段と、
を有することを特徴とする照明装置。
【請求項２】
前記第２の光学手段は、前記第１の光学手段から出射した光束を前記第１の方向に垂直な断面内において屈折させて前記原稿に集光することを特徴とする請求項１に記載の照明装置。
【請求項３】
前記原稿に垂直な方向に対し前記第１の光学手段が配置される方向と反対側に設けられ、前記第１の光学手段から出射する光束の一部を反射させて前記第１及び第２の光学手段による照明方向とは逆方向から前記原稿を照明する第３の光学手段としての反射部を有することを特徴とする請求項１または２に記載の照明装置。
【請求項４】
前記第１の方向に垂直な面内で、前記第３の光学手段で反射した光束を屈折させ前記原稿に集光する第４の光学手段を有することを特徴とする請求項３に記載の照明装置。
【請求項５】
前記第１の光学手段は、透明な材質より成る導光体であることを特徴とする請求項１乃至４のいずれか1項に記載の照明装置。
【請求項６】
前記第２の光学手段は、フレネルレンズであることを特徴とする請求項1乃至５のいずれか1項に記載の照明装置。
【請求項７】
前記フレネルレンズは、前記移動する原稿を支持するガラス基台の前記原稿の移動面と逆方向の面に設けられることを特徴とする請求項６に記載の照明装置。
【請求項８】
前記第４の光学手段は、フレネルレンズであることを特徴とする請求項４に記載の照明装置。
【請求項９】
前記フレネルレンズは、前記移動する原稿を支持するガラス基台の前記原稿の移動面と逆方向の面に設けられることを特徴とする請求項８に記載の照明装置。
【請求項１０】
前記フレネルレンズの前記原稿に垂直な方向における厚さをＴ（ｍｍ）とするとき、
０．５＜Ｔ＜５
なる条件を満足することを特徴とする請求項６乃至９のいずれか1項に記載の照明装置。
【請求項１１】
前記厚さは平板状のベース部の厚さを含むことを特徴とする請求項１０に記載の照明装置。
【請求項１２】
請求項1乃至１１のいずれか1項に記載の照明装置と、前記原稿からの光束を受光する読取手段と、前記原稿からの光束を前記読取手段に導く結像手段と、を有することを特徴とする画像読取装置。
【請求項１３】
前記原稿は、前記原稿に垂直な読取光軸方向に規制されて移動することを特徴とする請求項１２に記載の画像読取装置。
【請求項１４】
移動する前記原稿を読取る第１のモードと、前記照明装置、前記結像手段、及び前記読取手段を移動させて静止した前記原稿を読取る第２のモードと、を実行可能であり、
前記照明装置は、前記第２のモードにおいて、前記第２の光学手段を介さずに前記第１の光学手段からの光束により前記原稿を照明することを特徴とする請求項１２または１３に記載の画像読取装置。
【請求項１５】
前記第２のモードの場合、基準位置における静止した前記原稿の照度をＩ０、前記原稿に垂直な方向に前記基準位置より１０ｍｍだけ前記読取手段から離れた場合の前記原稿の照度をＩ１とするとき、
Ｉ１／Ｉ０＞０．４
なる条件を満たすことを特徴とする請求項１４に記載の画像読取装置。
【請求項１６】
前記第１のモードで、前記読取手段で読み取る前記移動する原稿の表面と反対側の裏面を読み取る第２の読取手段を有することを特徴とする請求項１４または１５に記載の画像読取装置。
【請求項１７】
前記裏面を照明する第２の照明装置として、
光源から出射した光束を前記裏面に向け前記第１の方向に長い光束を射出する第５の光学手段と、
前記第５の光学手段から出射した光束を前記第１の方向に垂直な断面内において屈折させ前記裏面の読取位置に集光する第６の光学手段と、
を有することを特徴とする請求項１６に記載の画像読取装置。
【請求項１８】
前記裏面に対する読取光軸を挟んで前記第５の光学手段と反対側に設けられ、前記第５の光学手段から出射した光束の一部を反射させて前記第５及び第６の光学手段による照明方向とは逆方向から前記裏面を照明する第７の光学手段としての反射部を有することを特徴とする請求項１７に記載の画像読取装置。
【請求項１９】
前記第１の方向に垂直な断面内において、前記第７の光学手段で反射した光束を屈折させ前記裏面に集光する第８の光学手段を有することを特徴とする請求項１８に記載の画像読取装置。
【請求項２０】
前記第５の光学手段は、透明な材質より成ることを特徴とする請求項１７乃至１９のいずれか1項に記載の画像読取装置。
【請求項２１】
前記第６の光学手段は、フレネルレンズであることを特徴とする請求項１７乃至２０のいずれか1項に記載の画像読取装置。
【請求項２２】
前記第８の光学手段は、フレネルレンズであることを特徴とする請求項１９に記載の画像読取装置。
【発明の詳細な説明】
【技術分野】
【０００１】
本発明は、照明装置および画像読取装置に関し、特にイメージスキャナー、複写機、ファクシミリなど、原稿面を照明して線順次方式で画像読取を行うものに関する。
【背景技術】
【０００２】
従来、イメージスキャナーなど、原稿面を照明して線順次方式で画像読取りを行う画像読取装置に用いられる照明装置（原稿照明装置）は、光源からの光を被照射面に向かわせ、読取領域（読み取りライン）を所望の照度で照らす。これにより、ノイズの少ない読取画像を取得している。
【０００３】
また、線順次方式の読取は、いわゆる原稿台ガラス上に載置された原稿に対し、読取手段を移動させて読み取る方式と、原稿を移動させ、固定された読取手段によって読み取る方式（以下、流し読み）が知られている。流し読みには、ＡＤＦ（Ａｕｔｏ  Ｓｈｅｅｔ  Ｆｅｅｄｅｒ）やシートフィード等と称される機構が用いられる。
【０００４】
一般的に、大量の原稿を高速に複写する場合、原稿を高速に搬送し読み取ることになるが、高速に移動する原稿を読み取るためには、受光素子の蓄積時間を原稿の送られる速度に対応して短くする必要がある。それに伴うノイズ増加を低減するために、例えば読取光学系のＦナンバーを明るいものにしたり、照明装置の光源を増やしたり、出力を高いものにしたりする必要がある。
【０００５】
しかし、それらの構成は、固定原稿読取モードの際にはオーバースペックとなる。固定原稿読取モードでは、読取毎に原稿を交換するため高速化の効果が薄いからである。
【０００６】
ここで、特許文献１には、流し読み時の原稿面の照射光量を増すために、光源ユニットと原稿台との隙間に２体構造の反射板（第１及び第２の反射板）を設けることが知られる。なお、特許文献１では、固定原稿読取モードの際には、本等の重みによる原稿台ユニットの変形で一体的に移動する走査ユニット（キャリッジ）との接触を回避するため、原稿台から離れた側の第２の反射板のみをキャリッジと一体化させて移動させる。
【先行技術文献】
【特許文献】
【０００７】
【特許文献１】特開２０１３−２３６２８６号公報
【発明の概要】
【発明が解決しようとする課題】
【０００８】
しかし、特許文献１のように、流し読み時の原稿面の照射光量を増すために、光源ユニットと原稿台との隙間に反射板を設けても、そもそもその位置に漏れる光線が少なければ効果が小さい。
【０００９】
本発明の目的は、移動する原稿の画像を読取るとき、読取光軸方向における原稿の読取位置を実効的に高い照度で照らすことで、読取の高速化を実現することができる照明装置および画像読取装置を提供することにある。
【課題を解決するための手段】
【００１０】
上記目的を達成するため、本発明に係る照明装置は、移動する原稿を照明する照明装置であって、前記原稿の移動方向に垂直な第１の方向に長い光束を射出する第１の光学手段と、前記第１の光学手段から出射した光束を前記第１の方向に垂直な断面内において前記原稿に集光する第２の光学手段と、を有することを特徴とする。
【００１１】
また、本発明に係る画像読取装置は、上記照明装置を有することを特徴とする。
【発明の効果】
【００１２】
本発明によれば、移動する原稿の読取位置が読取光軸方向において規制された状態で、原稿画像を読取るとき、原稿の読取領域を高い照度で照らすことで、読取の高速化を実現することができる。
【図面の簡単な説明】
【００１３】
【図１】本発明の第１の実施形態に係る照明装置を搭載した画像読取装置の概略図
【図２】第１の実施形態における読取ユニットを説明する図
【図３】第１の実施形態における集光手段としての各プリズムを説明する図
【図４】第１の実施形態における効果を説明する図
【図５】第１の実施形態における両面画像読取を示す図
【図６】第１の実施形態の変形例の集光手段を説明する図
【図７】第１の実施形態の変形例における効果を説明する図
【発明を実施するための形態】
【００１４】
以下、本発明の実施形態を図面に基づいて詳しく説明する。
【００１５】
《第１の実施形態》
（画像読取装置）
図１は、本発明の第１の実施形態に係る照明装置を搭載した画像読取装置の要部概略図である。本実施形態では、２種類の画像読取モードを実行可能であり、第１のモードが画像移動原稿読取モード（流し読み）、第２のモードが固定原稿読取モード（原稿は静止）である。
【００１６】
ここで、本願明細書では、「主走査方向」、「副走査方向」、「主走査断面」、「副走査断面」を以下のように定義する。すなわち、主走査方向とは第１の光学手段である導光体１１１ｂの長手方向であるＹ方向（第１の方向）、副走査方向とはＸ方向（第１の方向に交差する第２のモードにおける読取ユニット１１０の移動方向、第２の方向）、読取光軸方向とはＺ方向である。また、主走査断面とはＸＹ断面、副走査断面とはＺＸ断面である。
【００１７】
図１において、第１のモードでは、読取ユニット１１０は、第１の方向に長い読取領域として、第１の方向に交差する方向に移動する原稿１０６の画像を読取る。読取ユニット１１０は、照明装置（照明ユニット）の一部を構成する透明な材質より成る第１の光学手段である導光体１１１ｂ、後に詳述する第２の光学手段である集光手段１０７を備え、更に結像光学系１１２、読取手段である受光素子１１３を備える。
【００１８】
第２のモードでは、読取ユニット１１０が移動原稿読取位置１０４から固定原稿読取位置へ変位し、固定された読取対象に対し読取ユニット１１０を一体的にＸ方向に移動させる。即ち、本実施形態の第２のモードでは、原稿台ガラス１０８上に固定載置された原稿１０１に対し、導光体１１１ｂを含む照明装置（照明ユニット）で照明し、結像光学系１１２で、第１の方向に長いラインセンサーである受光手段（読取手段）１１３で受光する。そして、読取ユニット１１０が副走査方向（Ｘ方向）に移動（走査）し、線順次で移動する原稿の画像を読み取っていく。
【００１９】
このように第１及び第２のモードで読み取られた画像情報は、図示しないインターフェースを通じて内部の画像処理部、或いはパーソナルコンピュータなどの外部機器へと送られる。
【００２０】
（照明装置）
ここで、流し読み時（第１のモード）における読取ユニット１１０について、図２を用いて更に詳しく説明する。図２は、流し読み時における本実施形態に係る照明装置（照明ユニット）を搭載した画像読取装置の要部概略図を示す。流し読みの場合は、読取ユニット１１０が固定原稿読取位置から移動原稿読取位置１０４に変位（移動）する。これにより、導光体１１１ｂと移動原稿１０６の間に、照明装置（照明ユニット）の一部を構成する固定された集光手段（各プリズム）１０７ａ、１０７ｂが位置する形となる。
【００２１】
本実施形態において、照明装置（照明ユニット）は、導光体１１１ｂ、集光手段１０７ａ、１０７ｂの他、更に光源１１１ａ、反射部としての対向反射板１１１ｃを備える。光源１１１ａとしては、主走査方向（第１の方向）に複数配列されたＬＥＤ（Ｌｉｇｈｔ  Ｅｍｉｓｓｉｏｎ  Ｄｉｏｄｅ）が用いられる。光源１１１ａから放射された光束は、導光体１１１ｂに入射し内部で反射を繰り返しつつ出射し、一方は直接原稿の読取位置を照明する。
【００２２】
もう一方は、結像光学系の光軸（読取光軸）を挟んで位置する対向反射板１１１ｃへ向かい、対向反射板１１１ｃで反射されて、上述した原稿の読取位置を直接原稿を照明する照明方向とは逆方向から照明する。このように対向反射板１１１ｃは、原稿に垂直な方向に対し導光体１１１ｂが配置される方向と反対側に設けられる。
【００２３】
原稿の読取位置に対し、読取光軸を図の断面で挟んだ方向から照明を行うのは、例えば厚紙などが貼られて段差がある場合や、本の綴じ部など、局所的に原稿高さが変化する部位に影を生じにくくさせるためである。
【００２４】
本実施形態において、筐体２０１に収納された結像光学系１１２は折り返しミラー１１２ａ、結像レンズ１１２ｂを備える。そして、複数の折り返しミラー１１２ａで光路を折り畳みつつ、結像レンズ１１２ｂでラインＣＭＯＳセンサーである受光手段１１３上に原稿の読み取り領域の像を結ぶ。そして、受光手段１１３は、受光した像の明るさをデジタル出力し、例えばＲＧＢカラーセンサーであれば赤、緑、青の強度値と、読取前に不図示の白色基準板を読み取った際の強度値から、カラー画像を線順次で出力する。
【００２５】
（第１及び第２のモードの比較）
１）高速読取への適正化
高速に原稿画像を読み取るためには、移動原稿読取モード（第１のモード）では搬送される原稿を、固定原稿読取モード（第２のモード）では読取ユニットを、より高速に動かす必要がある。一般的に、複数の原稿を読み取る場合は、原稿を毎回交換する必要のない流し読み（第１のモード）が利用され、原稿の搬送速度を上げることで読取プロセスのスピードアップが可能である。
【００２６】
ここで、原稿と読取手段（受光素子）が相対的により高速で動きつつ、画像解像度を一定にするためには、カメラ撮影におけるシャッタースピードに相当する、受光素子の蓄積時間を短くする必要がある。そのため、単位時間当たりに受光素子で受光できる光のエネルギーは相対的に少なくなる。受光できる光のエネルギーが少なくなると、相対的にノイズ成分の顕在化が無視できなくなり、画質の低下を招く恐れがある。
【００２７】
このノイズ成分は、例えばセンサー素子の暗電流によるもの、画素間のクロストークによるものなど様々である。近年の技術進歩により、これらのノイズは大幅に低減されたものの、シグナル成分である受光エネルギーが減少すると、相対的にノイズが目立ち、画質の低下につながる。そこで、この画質低下を低減するため、原稿を高速で読み取る画像読取装置には、相対的に出力の高い照明装置を搭載し、より明るく原稿を照明することで受光素子に投影される読取領域の像を明るくすることで対応を行っている。。あるいは、よりＦナンバーの明るい結像光学系を搭載したりすることで対応を行っている。
【００２８】
しかし、結像光学系のＦナンバーを機種ごとに設定し、複数種類の結像レンズを開発するよりも、照明装置の出力を、例えば光源の出力や数量を増やして調整する方が容易である。即ち、高速読取への適正化として、第１のモードにおける照明装置の光量増大化が実用的となる。
【００２９】
２）読取光軸方向における原稿の読取位置のずれ量（浮き量）の大小
また、搬送される原稿を読み取る移動原稿読み取り（第１のモード）と、原稿台に載置された原稿を読み取る固定原稿読み取り（第２のモード）とでは、要求される照明の特性が多少異なる。固定原稿読み取り（第２のモード）では、本や立体物など、読取対象の面が必ずしも原稿台ガラス近傍の基準原稿高さに位置せず、読取手段から離れて（浮いて）いる対象を読み取る場合もあり、浮いた原稿にも照明が届くようにする必要がある。
【００３０】
それに対し、移動原稿読み取り（第１のモード）は搬送ローラ等によって搬送される原稿を読み取る。このため、原稿と読取手段との間隔は、ほぼ、搬送される原稿の厚み程度の誤差しかなく（原稿は読取光軸方向に規制されて移動する）、浮き方向に広範囲に照明する必要が無い。
【００３１】
このため、固定原稿読み取り（第２のモード）では浮き方向に広範囲の照明領域をできるだけ均一にする一方、移動原稿読取モード（第１のモード）では浮かない原稿の読取位置をできるだけ高い照度で照らすことが望ましい。
【００３２】
（集光手段１０７ａ、１０７ｂ）
移動原稿読取モード（第１のモード）において、浮かない原稿の読取位置をできるだけ高い照度で照らすために、読取位置に光束を集光するよう照明装置（照明ユニット）の一部を構成する第２の光学手段として、固定された集光手段１０７ａが設けられる。また、読取光軸を挟んで導光体１１１ｂと反対側に設けられる第３の光学手段としての対向反射板１１１ｃで反射された光束を読取位置に集光するよう、照明装置（照明ユニット）の一部を構成する第４の光学手段として、固定された集光手段１０７ｂが設けられる。
【００３３】
これらについて、図３を用いてより詳しく説明する。本実施形態の集光手段１０７ａ、１０７ｂは、フレネルレンズのような鋸刃形状(複数のレンズ要素)が副走査断面内に設けられ、これが紙面垂直方向である主走査方向（第１の方向）に延在する形状である。そして、副走査断面内における各々のプリズム形状は、透過する光束が読取光軸に近づくように屈折されるように設計されている。
【００３４】
集光要素としての各プリズムは、読取光軸に近い壁面３０１が読取光軸に対し６０゜、読取光軸から遠い壁面３０２が読取光軸に対し約４５度、ほぼ直線的に傾斜している。各プリズムの傾斜角は、通過する光線の主たる角度に合わせて適宜設定するのが良く、一般的には読取光軸から離れたプリズムには、より読取光軸に近づくように光束を屈折させるよう、傾斜角を設定するのが良いと考えられる。
【００３５】
ここで、集光手段としてフレネルレンズの読取光軸方向における厚さをＴ（ｍｍ）とするとき、
以下の条件式を満足することが望ましい（０．５ｍｍより大きく５ｍｍより小さい）。
０．５  ＜  Ｔ  ＜  ５
本実施形態では、上述の傾斜角で、プリズムを形成する基準となる厚み０．２５ｍｍの平板状のベース部に、高さ約０．３ｍｍのプリズムを形成しているが（合計した厚さＴは約０.５５ｍｍ）、照明装置の特性に合わせて適当な傾斜角に設計される。この集光要素としての各プリズムはアクリル樹脂（屈折率約１．４９）を用いて、射出成形で成形される。
【００３６】
そして、この集光要素としての各プリズムは、導光体１１１ｂおよび対向反射板１１１ｃに対し、主走査方向（第１の方向）に略同一の長さを持つ。そして、この各プリズムは、読取光軸から最も遠い端部付近で移動原稿を支持するガラス基台としての流し読みガラス３０３の読取位置（原稿の移動面）と逆方向の面に両面テープ３０４等で固定（接着）される。なお、もう一方の集光手段１０７ｂは、集光手段１０７ａを読取光軸周りに反転した形状となっている。
【００３７】
ここで、各プリズムを連続したフレネルレンズ形状とする理由は、１つのプリズムで実現しようとすると、集光手段が読取光軸方向に厚くなり、移動する照明装置（照明ユニット）との干渉が懸念され、これを避けるためである。
【００３８】
因みに、原稿と照明装置（照明ユニット）とを離すと、装置の大型化やより遠い原稿を照明するために照明の効率が低下する可能性がある。一般的には原稿台ガラスと照明装置（照明ユニット）の間に原稿台ガラスのたわみ等を考慮し約５ｍｍの隙間が設けられており、集光部材はその間隔に収まるものでなければならない。
【００３９】
さらに、上記集光部材が照明対象である原稿に近接していると、屈折された光束が十分に読取光軸に接近する前に原稿に到達してしまうために、集束効率が落ちる。これを防ぐために屈折のパワーを強くする、つまり斜面３０２の傾斜角度を強くすると、入射し屈折された光束は斜面３０２の反対側の面において、臨界角以上の角度で入射し、全反射のために透過することができない。このため、本実施形態の集光手段１０７ａ、１０７ｂは流し読みガラスの下部（読取ユニット側）に設置し、５ｍｍ程度原稿から離れた位置としている。
【００４０】
（第１及び第２のモードにおける原稿照明光束の比較）
図４に、原稿照明光束における代表的な光線の光路と、原稿面上光量（照度）分布について、流し読み時（第１のモード）と固定原稿読取モード（第２のモード）との比較を示す。
【００４１】
一般に、固定原稿読取モード（第２のモード）の場合、基準位置における読取対象の照度をＩ０、読取光軸方向に基準位置より１０ｍｍだけ受光素子から離れた場合の読取対象の照度をＩ１とするとき、以下の式を満足することが望ましい。
Ｉ１／Ｉ０  ＞  ０．４
図から分かるように、固定原稿読取モード（第２のモード）に比べ、移動原稿読取モード（第１のモード）では、導光体１１１ｂ、対向反射板１１１ｃからの光線が、基準原稿位置近傍を通過するよう屈折されている。
【００４２】
その結果、移動原稿読取モード（第１のモード）での基準原稿位置では、集光手段１０７ａ、１０７ｂの無い固定原稿読取モード（第２のモード）に比べて約６０％の照度上昇を達成している。これは、第２のモードで、浮いた原稿を照らすために左右の照明系による照度のピークを基準原稿位置の面上でオフセットさせていたものを、第１のモードで集光手段１０７ａ、１０７ｂにより基準原稿位置（読取位置）に集光させたためである。
【００４３】
約６０％の照度アップは、流し読みモード（第１のモード）の場合は、固定原稿読取モード（第２のモード）に比べ６０％の高速化が可能であることを示している。例えば、従来は毎分３０枚程度読み取りに対応する機種に用いられる照明装置でも、集光手段１０７ａ、１０７ｂを用いることで、流し読み時に４８枚程度の読み取りを実現する照明装置として用いることができることを示している。
【００４４】
（原稿の両面の流し読み）
図５に、流し読み（第１のモード）において、原稿の両面（表面および裏面）を同時に読み取る構成を示す。図において、５０１は原稿の表面を読み取る第１の読取ユニット、５０２は原稿の裏面を読み取る第２の読取ユニット、５０３は原稿である。
【００４５】
図５のように、原稿の両面を２つの読取手段で読み取る場合、画質の統一を図るため、できるだけ同一の読取ユニット構成で読み取りを行うのが望ましい。例えば、第１の読取ユニットに縮小光学系を用い、第２の読取ユニットに正立等倍光学系であるレンズ素子をアレイ状に並べたＣＩＳ（Ｃｏｎｔａｃｔ  Ｉｍａｇｅ  Ｓｅｎｓｏｒ）を用いることは好ましくない。光学系の分光透過率特性や解像力の他に、照明装置の特性による画質の相違も無視できないものとなることがあるからである。
【００４６】
本実施形態では、第１及び第２の読取ユニットは同一の読取ユニット構成を用い、裏面においても流し読み時の光量を高めて高速化を図る。そのため、第２の読取ユニット側の原稿と第２読取ユニットの間に集光手段１０７ａ、１０７ｂと同様の集光手段５０４ａ、５０４ｂを配している。
【００４７】
具体的には、裏面を照明する第２の照明装置として、光源から放射した光束を裏面に向けて出射する第５の光学手段としての導光体と、導光体から出射した光束を屈折させ裏面の読取位置に集光する第６の光学手段としての集光手段５０４ａを備える。更に、読取光軸を挟んで導光体と反対側に設けられる第７の光学手段としての反射部と、反射部で反射した光束を屈折させ裏面の読取位置に集光する第８の光学手段としての集光手段５０４ｂを備える。
【００４８】
以上、本実施形態の画像読取装置は、固定原稿読取モード（第２のモード）での画像品質を保ちながら、流し読み（第１のモード）でより高い原稿面の照度を得る。これにより、光源への負荷や消費電力の増大を生じることなく、低コストで省エネルギーな画像読取装置を提供できる。
【００４９】
（変形例）
以上、本発明の好ましい実施形態について説明したが、本発明はこれらの実施形態に限定されず、その要旨の範囲内で種々の変形及び変更が可能である。
【００５０】
（変形例１）
図６を用いて、第１の実施形態に用いた集光手段の変形例を説明する。図６に示す集光手段６１０は、読取光軸に近い壁面６１１は読取光軸に対し３０゜の角度をなし、遠い壁面６１２は傾斜しており、直径８ｍｍの円弧の一部を切り取った形状を持ったプリズムとなっている。また、集光部材６２０は、楕円の略円弧形状をフレネルレンズ状につないだものであり、ベースの楕円は長軸直径が１４ｍｍ、短軸直径が１０ｍｍのもので、フレネルレンズとしてのピッチは１ｍｍとしている。なお、楕円の形状は、組み合わせる照明装置の特性に合わせて適当な角度に設計されるものである。
【００５１】
これらの集光手段は、アクリル樹脂（屈折率約１．４９）が用いられて射出成形で成形される。そして、導光体および対向反射板に対し主走査方向（第１の方向）に略同一の長さを持ち、読取光軸から最も遠い端部付近で流し読みガラス６０１に両面テープ６０３等で固定されている。
【００５２】
図７に、代表的な光線の光路と、原稿面上光量（照度）分布について、流し読み時（第１のモード）と固定原稿読取モード（第２のモード）との比較を示す。図から分かるように、固定原稿読取モード（第２のモード）に比べ、移動原稿読取モード（第１のモード）では導光体７０１、対向反射板７０２からの光線が、基準原稿位置近傍を通過するよう屈折されている。その結果、第１の実施形態と同じく、移動原稿読取モード（第１のモード）での基準原稿位置では、集光手段の無い固定原稿読取モード（第２のモード）に比べて約６０％の照度上昇を達成している。
【００５３】
本変形例では、集光手段の副走査断面内の形状をフレネルレンズ状に配列した円弧としたが、これに限られない。配列された各プリズムの読取光軸から遠い壁面が照明光束を読取光軸に近づくように屈折させる斜度を有していれば良く、真円や２次曲線など、円弧の一部に限るものではない。
【符号の説明】
【００５４】
１０７ｂ・・集光手段（各プリズム）
１１１ｂ・・導光体
【図１】
2016220125.tif 000003
【図２】
2016220125.tif 000004
【図３】
2016220125.tif 000005
【図４】
2016220125.tif 000006
【図５】
2016220125.tif 000007
【図６】
2016220125.tif 000008
【図７】
2016220125.tif 000009